(57)【要約】      （修正有）【課題】スライドモジュールを１本使用し、かつこのスライドモジュールの全長を短くして、使用時に筐体より露出しないようにすることができると共に、スライドモジュールのスライドケースを構成するロックプレートとスライドカバーの間を溶着することなく、単に係合させるのみで良いように構成して、全体としてスライド機構の構成を簡単にすることにより、安価に製造できる携帯端末のスライド機構を提供する。【解決手段】第１の筐体2と第２の筐体3を上下方向に重ね合わせた状態で相対的にスライドさせる機構であって、前記第１の筐体2と第２の筐体3のいずれか一方のものの長手方向に設けた一対の係合溝2dと、この係合溝2dと摺動可能に係合する前記第１の筐体と第２の筐体のいずれか他方のものに設けたスライド部3cと、前記第１の筐体と第２の筐体のいずれか一方のものに取り付けたスライドモジュール7とから成る。【選択図】図４
2005167488.tif 000002
【特許請求の範囲】
【請求項１】
第１の筐体と第２の筐体を上下方向に重ね合わせた状態で相対的にスライドさせる機構であって、前記第１の筐体と第２の筐体のいずれか一方のものの長手方向に設けた一対の係合溝と、この係合溝と摺動可能に係合する前記第１の筐体と第２の筐体のいずれか他方のものに設けたスライド部と、前記第１の筐体と第２の筐体のいずれか一方のものに取り付けたスライドモジュールとから成り、このスライドモジュールを、互いに重ね合わせて固定したスライドカバーとロックプレートから成るスライドケースと、このスライドケース内に圧接状態で摺動可能に収納されたスライダーと、このスライダーと前記スライドケースとの間に設けられたロック手段と、前記スライダーに取り付けられ、前記スライドケースに設けたガイド長孔を貫通して該スライドケース外へ突出させられた１本の取付ピンとから成り、この取付ピンを前記第１の筐体か第２の筐体のいずれか他方のものに固着させたことを特徴とする、携帯端末のスライド機構。
【請求項２】
前記スライドモジュールを、第１の筐体に取り付けたことを特徴とする、請求項１に記載の携帯端末のスライド機構。
【請求項３】
前記スライダーとスライドケースとの間に板バネを設けたことを特徴とする、請求項１乃至２のいずれかに記載の携帯端末のスライド機構。
【請求項４】
前記ロック手段が、前記スライダーと前記スライドケースとの間に設けられた凸部係合或は凹凸係合であることを特徴とする、請求項１乃至３のいずれかに記載の携帯端末のスライド機構。
【請求項５】
前記スライダー、板ばね、及びスライドケースの全部或は一部の摺接面に潤滑コーティングを施したことを特徴とする、請求項１乃至４のいずれかに記載の携帯端末のスライド機構。
【請求項６】
前記第１の筐体と第２の筐体が、それぞれ携帯電話機の送話部と受話部であることを特徴とする、請求項１乃至５のいずれかに記載の携帯端末のスライド機構。
【請求項７】
前記スライドモジュールは、前記第１の筐体或は第２の筐体のケースカバーに設けた収装凹部に嵌入され、この収装凹部に設けた係止凹部にその両端部を挿入係止させるものであることを特徴とする、請求項１乃至６のいずれかに記載の携帯端末のスライド機構。
【発明の詳細な説明】
【技術分野】
【０００１】
この発明は、とくに携帯電話機のような携帯端末の、送話部を構成する第１の筐体と受話部を構成する第２の筐体を、互いにスライド可能に連結する際に用いて好適な、携帯端末のスライド機構に関する。
【背景技術】
【０００２】
携帯端末の一種である携帯電話機において、キーボード部とマイク部を設けた送話部としての第１の筐体と、ディスプレイ部とスピーカー部を設けた受話部としての第２の筐体を互いに重ね合わせた状態で、第１の筐体と第２の筐体が完全に重なり合って第２の筐体で第１の筐体の上面を覆う状態と、第２の筐体を第１の筐体に対して長手方向へスライドさせて第１の筐体の上面を露出させる状態を作り出す、スライド機構付きのものが市場に出回っている。このようなスライド機構を記載した公知文献として、下記する特許文献１に記載されたものが公知である。
【０００３】
【特許文献１】特開２００３−１２５０５２号公開特許公報
【発明の開示】
【発明が解決しようとする課題】
【０００４】
この特許文献１に記載されたものは、スライドカバーとロックプレートを重ね合わせて固着したスライドケースと、このスライドケース内に摺動可能に収装したスライダーとから成るスライドモジュールを２本第２の筐体の下面に並設し、スライダーより２本の取付ピンを突設して、第１の筐体の上面にビスで該取付ピンを固着するという構成のものであった。
【０００５】
このような構成であると、第２の筐体をスライドさせて第１の筐体の上面を露出させた際に、第２の筐体の荷重がスライダーを介してスライドケースにかかるため、実際の製品では該スライドケースを構成するロックプレートとスライドカバーの間を複数箇所でスポット溶着する必要がある上に、強度維持と第２の筐体の使用時における水平方向の回転を防止するため、スライダーに取り付ける取付ピンを２本とすることを要し、その分だけコストアップとなり、さらにスライドケースの長さを長くする必要があることから、スライド時にスライドケースが第２の筐体の下面に露出して見苦しくなるという問題があった。
【０００６】
この発明の目的は、スライドモジュールを１本使用すれば良く、かつこのスライドモジュールの全長を短くして、使用時に筐体より露出しないようにすることができると共に、スライドモジュールのスライドケースを構成するロックプレートとスライドカバーの間を溶着することなく、単に係合させるのみで良いように構成して、全体としてスライド機構の構成を簡単にすることにより、安価に製造でき、後述するその他の作用効果を奏するようにした携帯端末のスライド機構を提供せんとするにある。
【課題を解決するための手段】
【０００７】
上述した目的を達成するために発明は、第１の筐体と第２の筐体を上下方向に重ね合わせた状態で相対的にスライドさせる機構であって、前記第１の筐体と第２の筐体のいずれか一方のものの長手方向に設けた一対の係合溝と、この係合溝と摺動可能に係合する前記第１の筐体と第２の筐体のいずれか他方のものに設けたスライド部と、前記第１の筐体と第２の筐体のいずれか一方のものに取り付けたスライドモジュールとから成り、このスライドモジュールを、互いに重ね合わせて固定したスライドカバーとロックプレートから成るスライドケースと、このスライドケース内に圧接状態で摺動可能に収納されたスライダーと、このスライダーと前記スライドケースとの間に設けられたロック手段と、前記スライダーに取り付けられ、前記スライドモジュールに設けたガイド長孔を貫通して該スライドケース外へ突出させられた１本の取付ピンとから成り、この取付ピンを前記第１の筐体か第２の筐体のいずれか他方のものに固着させたことを特徴とする。
【０００８】
その際にこの発明は、前記スライドモジュールを、第１の筐体に取り付けることができる。
【０００９】
この発明はまた、前記スライダーとスライドケースとの間に、板バネを設けることができる。
【００１０】
この発明はさらに、前記ロック手段を、前記スライダーと前記スライドケースとの間に設けた凸部係合或は凹凸係合とすることができる。
【００１１】
この発明はさらに、前記スライダー、板ばね、及びスライドケースの全部或は一部の摺接面に潤滑コーティングを施すことができる。
【００１２】
この発明はさらに、前記第１の筐体と第２の筐体を、それぞれ携帯電話機の送話部と受話部とすることができる。
【００１３】
そして、この発明は、前記スライドモジュールを、前記第１の筐体或は第２の筐体のケースカバーに設けた収装凹部に嵌入させ、この収装凹部に設けた係止凹部にその両端部を挿入係止させるものである。
【発明の効果】
【００１４】
この発明は以上のように構成したので、次のような効果を奏し得る。
【００１５】
互いに上下方向に重なり合った第１の筺体と第２の筺体を互いに一方向へ任意の位置で安定停止可能にスライドすることができる上に、前記第１の筐体と第２の筐体のいずれか一方のものの長手方向に設けた一対の係合溝と、この係合溝と摺動可能に係合する前記第１の筐体と第２の筐体のいずれか他方のものに設けたスライド部とによって、スライドモジュールを１本とし、さらに取付ピンを１本としても、スライドさせた状態で曲げ方向にかかる前記第１の筐体と第２の筐体の荷重に十分耐えることができるものである。さらに取付ピンを１本としたので、スライドモジュールの長さを短くすることが可能になり、スライド時にスライドモジュールが外部へ露出することを防止することができたものである。
【発明を実施するための最良の形態】
【００１６】
以下にこの発明の一実施の形態を携帯電話機に実施した場合について説明するが、この発明に係るスライド機構は他にも例えばザウルス（商標）のような携帯情報端末、電卓、ポケットコンピュータ、携帯ゲーム機、灰皿、ケースの蓋等に実施することができる。
【実施例１】
【００１７】
図面は、この発明の一実施の形態を図１乃至図９に基づいて詳細に説明する。とくに図１乃至図３において、指示記号２は例えば携帯電話機１の送話部を示し、第１の筐体を構成する。この第１の筐体２の表面にマイク部２ａとキーボード２ｂが設けられており、この第１の筐体２の上部に重ね合わされ長手方向へスライド可能に取り付けられているのが、例えば携帯電話機１の受話部であり、第２の筐体３を構成する。この第２の筐体３の表面にスピーカー部３ａとディスプレイ装置３ｂが設けられている。尚、指示記号４はアンテナである。このアンテナ４は第１の筐体２の側に取り付けられているが、第２の筐体３の側に取り付けられる場合もあろう。
【００１８】
第１の筐体２の上部両側には、とくに図４に示したように、棚部２ｃ，２ｃが設けられ、この棚部２ｃ，２ｃに係合溝２ｄ，２ｄが設けられている。第２の筐体３の下部両側には、棚部２ｃ，２ｃに摺接する断面略Ｃ形状を呈したスライド部３ｃ，３ｃが設けられ、このスライド部３ｃ，３ｃを係合溝２ｄ，２ｄへ摺動可能に係合させている。
【００１９】
次に、指示記号７で示したものはスライドモジュールである。このスライドモジュール７は、とくに図５に示したように、第１の筐体２の上部カバー２ｅの裏側に取り付けられており、該スライドモジュール７を構成するスライドケース５内に摺動可能に収装させたスライダー８より突設させた取付ピン９が上部カバー２ｅに設けたガイド長孔２ｆを介して上部へ突出し、この取付ピン９は第２の筐体３の下部カバー３ｄへ取付ネジ１２を介して固着されている。
【００２０】
スライドモジュール７を上部カバー２ｅへの取り付ける方法は、とくに図５に示したように、該上部カバー２ｅの裏側へ収納部２ｇを形成させ、この収納部２ｆの前部と後部に係止凹部２ｈ，２ｈを設けて、該収納部２ｇへ収納させたスライドモジュール７の両端部を係止凹部２ｈ，２ｈへ挿入係止させるようになっている。
【００２１】
このスライドモジュール７の構成は、とくに図６乃至図９に示されている。図面によれば、指示記号１０のものがロックプレートであり、その前後左右より所定間隔を空けて立ち上げた複数の立上片１０ａ，１０ａ……に係止突片１０ｂ，１０ｂ…を設けて成り、その長手方向の両端部には当該ロックプレートと直交する方向に係止凸部１０ｃ，１０ｄが設けられている。
【００２２】
指示記号１１のものが、スライドカバーである。その前後左右に設けた垂下片１１ａ，１１ａ・・・に前記係止突片１０ｂ，１０ｂ…と嵌合する複数の係止孔１１ｂ，１１ｂ…が設けられており、スライドカバー１１をロックプレート１０へ被せて、各係止突片１０ｂと各係止孔１１ｂを係合させることにより、両者は堅固に組み合わされている。
【００２３】
ロックプレート１０とスライドカバー１１で構成されたスライドケース５内には、板状のスライダー８が摺動可能に収装されており、このスライダー８には、その中央部と長手方向の両端部の該スライダー８と直交する方向に凸部８ａ，８ｂが形成されている。スライダー８はまた、スライドケース５を構成するロックプレート１０とスライドカバー１１との間に板ばね１４によって圧接状態で収装されている。そして、とくに図８に示したようにロックプレート１０の係止凸部１０ｃ，１０ｄとスライダー８の凸部８ａ，８ｂでロック手段１５を構成している。
【００２４】
このスライダー８には、板ばね１４を介して、上述したように、１本の取付ピン９が固着されている。この取付ピン９はスライドカバー１１に設けたガイド長孔１１ｃ及び第１の筐体２の上部カバー２ｅに設けたガイド長孔２ｆを貫通して外部へ突出させられており、取付ピン９が前述したように第２の筐体３側の下部カバー３ｄに取付ネジ１２で固着されている。このようにして、係合溝２ｄ，２ｄとスライド部３ｃ，３ｃとスライドモジュール７でスライド機構６を構成している。
【００２５】
次に、この発明に係るスライド機構の機能について説明する。第１の筐体２に対して第２の筐体３を重ね合わせた両者の閉成位置にある時には、スライドケース５内のスライダー８の一方の端部に設けた凸部８ａは、ロックプレート１０の一方の端部に設けた係止凸部１０ｃと係合しており、両者はロック状態にある。
【００２６】
したがって、外力が加えられない限り、第１の筐体２と第２の筐体３、しかして送話部と受話部は自然にスライドしてしまうことはない。本件発明を実施したものが、図面に示したように、携帯電話機である場合には、この状態で送話部の第１の筐体２と受話部の第２の筐体３がコンパクトにまとめられるので、収納保持し易く、かつ、携帯中に操作キーが誤って押されてしまうことがない上に、第２の筐体３の側に設けたディスプレイ装置３ｂ上に表示された映像や情報をこの状態で見ることができる。また、第１の筐体２と第２の筐体３とは、係合溝２ｄ，２ｄにスライド部３ｃ，３ｃが係合していることにより、スライドモジュール７以外のこの係合手段により互いに分離不能に係合されている。
【００２７】
次いで、第１の筐体２と第２の筐体３を相対的に長手方向へスライドさせると、スライダー８の凸部８ａとロックプレート１０の係止凸部１０ｃとの間のロックが外れ、スライドケース５内のスライダー８は板ばね１４の弾力により、圧接状態で該スライドケース５内をスライドするので、第１の筐体２と第２の筐体３は、互いにスライドして任意の位置で停止させることができる。
【００２８】
第１の筐体２と第２の筐体３をさらに相対的にスライドさせると、今度はスライダー８のもう一方の端部に設けた凸部８ｂが、ロックプレート１０のもう一方の端部に設けた係止凸部１０ｄと係合し、同時に取付ピン９の側部がスライドカバー１１に設けたガイド長孔１１ｃの端部に当接するので、ここにおいても第１の筐体２と第２の筐体３は相互にロックされる。
【００２９】
この状態において、送話部のキーボード部２ｂが露出し、携帯電話機としての使用が可能となる。或は第１の筐体２と第２の筐体３を完全にスライドさせなくとも、場合によっては使用が可能となる。さらに、この状態において、第２の筐体３にその裏面側へ曲げる力が加えられても、第２の筐体３と第１の筐体２は、係合溝２ｄ，２ｄと係合するスライド部３ｃ，３ｃによって、互いに係合されているので、この曲げ方向の荷重がスライドケース５にのみかかることはない。
【００３０】
次いで、第１の筐体２と第２の筐体３を互いに摺動させて再び重ね合わされる方向へ力を加えると、再びスライダー８の凸部８ｂとロックプレート１０の係止凸部１０ｄとの間の係合が外れて、第１の筐体２と第２の筐体３は任意の位置で停止可能にスライドし、スライダー８の凸部８ａとロックプレート１０の凸部１０ｃが係合する位置に戻り、ここでロックされる。その際に取付ピン９の側部がガイド長孔１１ｃの端部に当接する。もっとも、スライダー８がロックされる位置での任意のストッパー手段としては、当該スライダー８の端部がスライドケース５の端部へ当接することによってなされても良い。また、スライドカバー１１の側に設けられるガイド長孔１１ｃはロックプレート１０の側に設けることも可能である。
【実施例２】
【００３１】
図１０はロック手段のさらに他の実施の形態を示し、この実施例におけるロック手段２０は、スライダー２１の両端側の両側部に凹部２１ａを設け、この凹部２１ａがロックプレート２２の側部に設けた凸部２２ａと係合することによって、ロック作用がなされるものである。
【００３２】
尚、以上の各実施例においては、ロックプレートに設ける凸部や凹部はスライドカバーの側に設けても良いし、板ばね１３は、ロックプレートとスライダーの間に介在させても良い。
【実施例３】
【００３３】
図１１はスライド機構の他の実施の形態を示し、第１の筐体２３と第２の筐体２４に設ける係合溝とスライド部を、実施例１のものとは逆にした場合を示し、係合溝２５が第２の筐体２４に、この係合溝２５と係合するスライド部２６が第１の筐体２３側に設けられている。
【００３４】
このように実施してもこの発明の目的は達成できる。
【実施例４】
【００３５】
図１２は、スライド機構のさらに他の実施例を示し、係合溝３０，３０を設けた係合部材３１と各々スライド部３２を設けたスライド部材３３，３３が、第１の筐体３４と第２の筐体３５とは別物品で構成されている。
【００３６】
このように実施してもこの発明の目的は達成できる。
【産業上の利用可能性】
【００３７】
この発明は、とくに携帯端末の一種である携帯電話機、その他の例えばザウルス（商標）のような携帯情報端末、電卓、ポケットコンピュータ、携帯ゲーム機、灰皿、ケースの蓋等の第１の筺体と第２の筺体を相互にスライド可能に連結する際に実施することができる。
【図面の簡単な説明】
【００３８】
【図１】この発明を実施した携帯端末の一種である携帯電話機の第１の筐体である送話部と第２の筐体である受話部を重ね合わせた状態の斜視図である。
【図２】図１に示した携帯電話機の送話部と受話部をスライドさせて見た斜視図である。
【図３】この発明に係る携帯端末のスライド機構の部分を説明するための一部分解斜視図である。
【図４】図１のＡ−Ａ線断面図である。
【図５】この発明に係る携帯端末のスライドモジュールの取付状態を説明する拡大縦断面図である。。
【図６】この発明に係る携帯端末のスライド機構の分解斜視図である。
【図７】この発明に係る携帯端末のスライドモジュールの分解斜視図である。
【図８】この発明に係る携帯端末のスライドモジュールの一部拡大横断面図である。
【図９】この発明に係る携帯端末のスライドモジュールの一部拡大縦断面図である。
【図１０】この発明に係る携帯端末のスライド機構のさらに他の実施の形態を示す説明図である。
【図１１】この発明に係る携帯端末のスライド機構のさらに他の実施の形態を示す説明図である。
【図１２】この発明に係る携帯端末のスライド機構のさらに他の実施の形態を示す説明図である。
【符号の説明】
【００３９】
１  携帯電話機
２  第１の筐体（送話部）
２ａ  マイク部
２ｂ  キーボード部
２ｃ  棚部
２ｄ  係合溝
２ｅ  上部カバー
２ｆ  ガイド長孔
２ｇ  収納部
２ｈ  係止凹部
３  第２の筐体（受話部）
３ａ  スピーカー部
３ｂ  ディスプレイ装置
３ｃ  スライド部
３ｄ  下部カバー
４  アンテナ
５  スライドケース
６  スライド機構
７  スライドモジュール
８  スライダー
８ａ  凸部
８ｂ  凸部
９  取付ピン
１０  ロックプレート
１０ａ  立上片
１０ｂ  係止突片
１０ｃ  係止凸部
１０ｄ  係止凸部
１１  スライドカバー
１１ａ  垂下片
１１ｂ  係止孔
１１ｃ  ガイド長孔
１２  取付ネジ
１４  板ばね
１５  ロック手段
２０  ロック手段
２１  スライダー
２１ａ  凹部
２２  ロックプレート
２２ａ  凸部
２３  第１の筐体
２４  第２の筐体
２５  係合溝
２６  第１の筐体
２７  第２の筐体
２８  スライド部
３０  係合溝
３１  係合部材
３２  スライド部
３３  スライド部材
３４  第１の筐体
３５  第２の筐体
【図１】
2005167488.tif 000003
【図２】
2005167488.tif 000004
【図３】
2005167488.tif 000005
【図４】
2005167488.tif 000006
【図５】
2005167488.tif 000007
【図６】
2005167488.tif 000008
【図７】
2005167488.tif 000009
【図８】
2005167488.tif 000010
【図９】
2005167488.tif 000011
【図１０】
2005167488.tif 000012
【図１１】
2005167488.tif 000013
【図１２】
2005167488.tif 000014